(57)【特許請求の範囲】
【請求項１】
吸引装置に接続されて、清掃対象面から花粉や塵芥を吸取る吸取具であって、
筒状に形成されるとともに、外周面から内周面にかけて貫通する複数個の吸取孔を有する吸取部材と、
前記吸取部材を回転可能に支持する支持部と、前記吸引装置に接続可能な接続部と、前記接続部が吸引装置に接続された際に前記吸引装置と前記吸取部材における筒状の内部とを連通させる連通路と、を有する支持部材と、
を具備し、
前記吸取部材は、湾曲した清掃対象面に押付けられた際に、前記湾曲した清掃対象面に合わせて湾曲可能に構成され、
前記支持部材は、前記湾曲した清掃対象面に合わせて吸取部材が湾曲する際に、前記吸取部材の湾曲に追従して変形し、
前記支持部材の支持部は、前記接続部から左右に延出して弧状に形成されるとともに、その両端部が互いに向き合うように内側に突出して形成され、
前記支持部材は、その支持部の両端部を前記吸取部材における両端の開口にそれぞれ挿入することによって、前記吸取部材を支持し、
前記吸取部材を手でつかんで引張ることによって、前記支持部材の支持部から前記吸取部材を取り外すことが可能に構成される、
吸取具。
【請求項２】
前記支持部材の上下方向への移動を案内するとともに、前記支持部材における上方への移動または下方への移動を操作するための操作部材を有する、案内装置を具備する、請求項１に記載の吸取具。
【請求項３】
請求項１または請求項２に記載の吸取具と吸引装置とを備える吸取装置。
【発明の詳細な説明】
【技術分野】
【０００１】
本発明は、吸取具、吸引装置、および、吸取部材の技術に関する。
【背景技術】
【０００２】
従来、建築物の入口近傍に設置されて、建築物内に入ろうとする人の頭部や衣類に付着した花粉や塵芥を吹飛ばして、建築物内に花粉や塵芥が持込まれることを防止する、花粉や塵芥の除去装置の技術は公知となっている（特許文献１参照）。
【０００３】
また、吸引装置に接続されて、清掃対象面から花粉や塵芥を吸取る、吸取具の技術は公知となっている（特許文献２参照）。
当該吸取具は、筒状に形成されるとともに外面から内面にかけて貫通する複数個の吸取孔を有する吸取部材を備え、吸取部材を清掃対象面に接触させた状態でこれを回転させながら清掃対象面に付着した花粉や塵芥を吸取部材の吸取孔から吸取るように構成される。
【先行技術文献】
【特許文献】
【０００４】
【特許文献１】特開２００８−２０１３１号公報
【特許文献２】特開２００８−１１９２６６号公報
【発明の概要】
【発明が解決しようとする課題】
【０００５】
しかしながら、特許文献１に記載の花粉や塵芥の除去装置では、花粉や塵芥を吹飛ばすため、建築物の入口近傍で花粉や塵芥を撒散らしてしまう場合がある。そして、このように建築物の入口近傍で撒散らされた花粉や塵芥が浮遊して、建築物内に入込んでしまう場合がある。
【０００６】
また、特許文献２に記載の吸取具は、その吸取部材内に直線状の軸体が嵌挿されて、吸取部材（軸体）を変形させることができないように構成される。このため、清掃対象面が
平坦でなく、突出する方向に湾曲するような場合（例えば、人の頭部や胴部のような場合）には、平坦な清掃対象面の場合（例えば、床や壁の場合）と比べて吸取部材との接触面積が小さくなるため、花粉や塵芥を吸取る作業が煩雑となる。
【０００７】
本発明は以上の如き状況に鑑みてなされたものであり、花粉や塵芥を撒散らすことなく吸取ることができるとともに、突出する方向に湾曲した清掃対象面から花粉や塵芥を容易に吸取ることができる技術を、提供することを課題とする。
【課題を解決するための手段】
【０００８】
本発明の解決しようとする課題は以上の如くであり、次にこの課題を解決するための手段を説明する。
【０００９】
即ち、請求項１においては、吸引装置に接続されて、清掃対象面から花粉や塵芥を吸取る吸取具であって、筒状に形成されるとともに、外周面から内周面にかけて貫通する複数個の吸取孔を有する吸取部材と、前記吸取部材を回転可能に支持する支持部と、前記吸引装置に接続可能な接続部と、前記接続部が吸引装置に接続された際に前記吸引装置と前記吸取部材における筒状の内部とを連通させる連通路と、を有する支持部材と、を具備し、前記吸取部材は、湾曲した清掃対象面に押付けられた際に、前記湾曲した清掃対象面に合わせて湾曲可能に構成され、前記支持部材は、前記湾曲した清掃対象面に合わせて吸取部材が湾曲する際に、前記吸取部材の湾曲に追従して変形し、前記支持部材の支持部は、前記接続部から左右に延出して弧状に形成されるとともに、その両端部が互いに向き合うように内側に突出して形成され、前記支持部材は、その支持部の両端部を前記吸取部材における両端の開口にそれぞれ挿入することによって、前記吸取部材を支持し、前記吸取部材を手でつかんで引張ることによって、前記支持部材の支持部から前記吸取部材を取り外すことが可能に構成されるものである。
【００１０】
請求項２においては、前記支持部材の上下方向への移動を案内するとともに、前記支持部材における上方への移動または下方への移動を操作するための操作部材を有する、案内装置を具備するものである。
【００１１】
請求項３においては、請求項１または請求項２に記載の吸取具と吸引装置とを備える吸取装置とするものである。
【発明の効果】
【００１２】
本発明の効果として、以下に示すような効果を奏する。
【００１３】
即ち、本発明によれば、花粉や塵芥を撒散らすことなく吸取ることができるとともに、湾曲した清掃対象面から花粉や塵芥を容易に吸取ることができる。
【図面の簡単な説明】
【００１４】
【図１】本発明の第一実施形態に係る吸取具を示した斜視図。
【図２】（ａ）は同じく平面図、（ｂ）は同じく側面図。
【図３】本発明の第一実施形態に係る吸取具を清掃対象面に押付けた状態を示した平面図。
【図４】同じく平面図。
【図５】本発明の第一実施形態に係る吸取具が案内装置を具備する状態を示した正面図。
【図６】同じく平面図。
【図７】同じく側面図。
【図８】（ａ）は本発明の第二実施形態に係る吸取具を示した平面図、（ｂ）は同じく側面図。
【図９】（ａ）は本発明の第二施形態に係る吸取具を清掃対象面に押付けた状態を示した平面図、（ｂ）同じく一部拡大平面断面図。
【図１０】本発明の第三実施形態に係る吸取具を示した平面図。
【図１１】同じく側面図。
【図１２】本発明の第三実施形態に係る吸取具が案内装置を具備する状態を示した正面図。
【図１３】同じく平面図。
【図１４】同じく側面図。
【発明を実施するための形態】
【００１５】
次に、本発明の第一実施形態に係る吸取具１Ａを、図１から図７を用いて説明する。
【００１６】
吸取具１Ａは、図１に示すように、吸引装置３に接続されて、清掃対象面から花粉や塵芥を吸取るものである。
ここで、吸引装置３とは、気体を吸引するための装置を示す。以下においては、吸引装置３として電気掃除機を用いた場合について説明する。
また、吸取具１Ａは、図１または図２に示す如く、吸取部材１０と、支持部材２０と、を具備する。吸取具１Ａの吸取部材１０は、その支持部材２０に支持される。吸取具１Ａの支持部材２０は、吸引装置３のホース３ａに接続される（図１参照）。
【００１７】
吸取具１Ａの吸取部材１０は、清掃対象面から花粉や塵芥を吸取る際に、清掃対象面に接触させて、当該清掃対象面から花粉や塵芥を吸取る部材である。
吸取具１Ａの吸取部材１０は、可撓性を有した部材にて構成され、円筒状に形成される。吸取具１Ａの吸取部材１０は、例えば、樹脂素材やスポンジゴム（多孔質のゴム）素材等にて構成される。
吸取具１Ａの吸取部材１０は可撓性を有しているため、突出する方向に湾曲する清掃対象面２（例えば、人の頭部や胴部のような場合）に押付けられた際に、その接触面が当該湾曲等した清掃対象面２に沿うように変形することが可能である。また、吸取具１Ａの吸取部材１０は、突出する方向に湾曲する清掃対象面２に押付けられた際に、当該湾曲等した清掃対象面２の形状に合わせて湾曲可能に構成される。
【００１８】
吸取具１Ａの吸取部材１０は、複数個の吸取孔１２・１２・・・を有する。
吸取具１Ａの吸取部材１０における吸取孔１２・１２・・・は、吸取部材１０を清掃対象面に接触させた際に、清掃対象面に付着している花粉や塵芥を吸取るための孔である。
吸取具１Ａの吸取部材１０における吸取孔１２・１２・・・は、それぞれ、吸取部材１０の外周面（筒状の外部）から内周面（筒状の内部１１）に貫通して形成される。吸取具１Ａの吸取部材１０における複数個の吸取孔１２・１２・・・は、吸取部材１０の外周面において均等に配置される。
【００１９】
吸取具１Ａの支持部材２０は、吸取部材１０を、軸心を中心として回転可能に支持する部材である。
吸取具１Ａの支持部材２０は、筒状に形成されるアーム部２１と、アーム部２１に連続して形成される接続部２２と、アーム部２１および接続部２２の内部に形成される連通路２３と、を有する。
吸取具１Ａの支持部材２０における接続部２２は、吸引装置３のホース３ａに接続される部分である。
吸取具１Ａの支持部材２０における連通路２３は、支持部材２０が吸引装置３のホース３ａに接続された際に、支持している吸取部材１０における筒状の内部１１と、吸引装置３のホース３ａと、を連通させる通路である。
【００２０】
吸取具１Ａの支持部材２０におけるアーム部２１は筒状部材にて構成された吸取部材１０を支持する支持部であり、平面視略Ｃ字状（弧状）に形成されるとともに、その両端部が互いに向き合うように内側に突出するように形成される。
吸取具１Ａの支持部材２０におけるアーム部２１は、その両端部が、吸取部材１０における両端の開口部に挿入可能なように、形成される。
吸取具１Ａの支持部材２０におけるアーム部２１は、その内側に突出した両端間の距離が、吸取部材１０の両端間の長さより短くなるように、形成される。
【００２１】
吸取具１Ａの支持部材２０における接続部２２は、円筒状に形成されるとともに、吸引装置３のホース３ａの一端に嵌挿可能に構成される。
吸取具１Ａの支持部材２０における接続部２２は、そのアーム部２１の左右中央部に、図２に示す上方（弧の外側）に向かって突出するようにして形成される。
つまり、支持部材２０のアーム部２１は、接続部２２の一端部から左右方向へ延出しており、その延出途中で接続部２２側とは反対側へ湾曲するとともに、その延出端部が左右内側方向へ突出している。
吸取具１Ａの支持部材２０は、その接続部２２の筒内とそのアーム部２１の筒内と、が連通するように、構成される。
当該接続部２２の筒内とアーム部２１の筒内とが連通する空間は、吸取具１Ａの連通路２３として構成される。
【００２２】
そして、吸取具１Ａの支持部材２０は、そのアーム部２１の両端部を、吸取部材１０における両端の開口にそれぞれ挿入することによって、吸取部材１０を支持する。この際、吸取具１Ａの吸取部材１０は、支持部材２０によって、周方向に回転可能に支持されるとともに、支持部材２０におけるアーム部２１の両端部の挿抜方向に移動可能に支持される。
以上のようにして、吸取具１Ａは構成される。
また、吸取具１Ａの支持部材２０は、その接続部２２の他端部を吸引装置３のホース３ａの一端に嵌挿することによって、吸引装置３に接続される。
【００２３】
このように構成された吸取具１Ａでは、その支持部材２０の接続部２２が吸引装置３のホース３ａに接続された際に、その吸取部材１０における筒状の内部１１と、吸引装置３のホース３ａとが、その支持部材２０の連通路２３を介して連通する。
この際、吸取具１Ａは、その支持部材２０の接続部２２に接続された吸引装置３の吸引力が、支持部材２０の連通路２３を介して吸取部材１０における筒状の内部１１に伝わるように、構成される。
そして、吸取具１Ａは、その吸取部材１０における筒状の内部１１に吸引装置３の吸引力が伝わるように構成されることにより、吸取部材１０の吸取孔１２・１２・・・から花粉や塵芥を吸取ることができるように構成される。
【００２４】
このように構成された吸取具１Ａでは、突出する方向に湾曲する清掃対象面２から花粉や塵芥を吸取る際に、図３に示すように、その吸取部材１０を当該清掃対象面２に押付ける。この際、吸取具１Ａの吸取部材１０は、その接触面が当該突出する方向に湾曲した清掃対象面２に沿うように変形し、前記湾曲等した清掃対象面２の形状に応じた湾曲形状となる。
また、吸取具１Ａでは、その吸取部材１０を前記清掃対象面２に押付けて湾曲させた状態で、吸取部材１０の軸方向と直交する方向へ吸取具１Ａを移動させて、吸取部材１０を周方向に回転させることができる。
したがって、吸取具１Ａによれば、花粉や塵芥を撒散らすことなく吸取ることができるとともに、突出する方向に湾曲する清掃対象面２から花粉や塵芥を容易に吸取ることができる。
【００２５】
吸取具１は、吸引装置３である電気掃除機に接続可能に構成されるので、従来の電気掃除機を流用して、花粉や塵芥を撒散らすことなく吸取ることができるとともに、突出する方向に湾曲する清掃対象面２から花粉や塵芥を容易に吸取ることができる吸取具を、安価に実現することができる。
【００２６】
吸取具１Ａは、その吸取部材１０を手でつかんで引張ることによって、吸取部材１０を支持部材２０のアーム部２１から取り外すことが可能に構成される。このため、吸取具１では、吸取部材１０の交換を容易に行うことができる。
【００２７】
なお、吸取具１Ａの吸取部材１０は、吸引装置３の吸引力がその筒状の内部１１に伝わった際においても、吸取部材１０が拉げて潰れない程度の（その筒状の内部１１が形成された状態が保持されるような）剛性を、有する。
また、吸取具１Ａでは、その支持部材２０におけるアーム部２１は、吸取部材１０を清掃対象面２に押付けて湾曲させた際においても、支持部材２０のアーム部２１から吸取部材１０が脱落しないように形成される。つまり、吸取部材１０が湾曲した場合でも、アーム部２１の両端部が吸取部材１０の両端部に挿入された状態が保持されるように構成している。
【００２８】
また、吸取具１Ａでは、図４に示すように、支持部材２０を構成する素材を、清掃対象面２の形状に合わせて吸取部材１０が湾曲する際に、当該吸取部材１０の湾曲に追従して変形する（撓む）ような可撓性を有する素材としてもよい。
このように吸取具１Ａの支持部材２０を構成することにより、突出する方向に湾曲した清掃対象面２の形状に合わせて吸取部材１０が湾曲する際に、その両端部同士が近接するように、支持部材２０のアーム部２１が撓むこととなる。
またこの際、吸取具１Ａでは、前記湾曲する吸取部材１０における両端の開口部の向きに合わせるようにして、支持部材２０における吸取部材１０の内部１１に挿入される部分（支持部材２０のアーム部２１の両端部）が、その向きを変える。
したがって、吸取具１Ａによれば、支持部材２０において吸取部材１０の内部１１に挿入される部分が前記吸取部材１０の湾曲の妨げとなることを抑制して、よりスムーズに前記吸取部材１０が湾曲することとなる。
また、吸取具１Ａによれば、支持部材２０において吸取部材１０の内部１１に挿入される部分が前記湾曲した状態の吸取部材１０における周方向への回転の妨げとなることを抑制して、よりスムーズに当該吸取部材１０が周方向へ回転することとなる。
よって、吸取具１Ａによれば、より容易に、花粉や塵芥を撒散らすことなく吸取ることができるとともに、突出する方向に湾曲する清掃対象面２から花粉や塵芥を吸取ることができる。
【００２９】
また、吸取具１Ａと吸引装置３とが、吸取装置に具備される構成としてもよい。吸取装置とは、吸取具１Ａが吸引装置３に接続されて、清掃対象面から花粉や塵芥を吸取る装置である。
このような吸取装置においても、その吸取具１Ａによって、花粉や塵芥を撒散らすことなく吸取ることができるとともに、突出する方向に湾曲する清掃対象面２から花粉や塵芥を容易に吸取ることができる。
【００３０】
吸取具１Ａは、図５乃至図７に示すように、案内装置９０を具備するものとしてもよい。
吸取具１Ａの案内装置９０は、吸取具１Ａの支持部材の上下方向への移動を案内する装置である。
吸取具１Ａの案内装置９０は、フレーム９１と、移動部材９５と、操作部材９７と、を備える。
【００３１】
吸取具１Ａの案内装置９０におけるフレーム９１は、略門型に形成される。
吸取具１Ａの案内装置９０におけるフレーム９１のうち、上方に横設姿勢で配置される部分を上方フレーム９１ａと、左方に立設姿勢で配置される部分を左方フレーム９１ｂと、右方に立設姿勢で配置される部分を右方フレーム９１ｃと、それぞれ称する。
【００３２】
吸取具１Ａの案内装置９０における左方フレーム９１ｂと右方フレーム９１ｃの背部には、略コ字状に形成されるガイド部材９３・９３がそれぞれ設けられる。
吸取具１Ａの案内装置９０における左方フレーム９１ｂと右方フレーム９１ｃとのガイド部材９３・９３は、その開放部側を左方フレーム９１ｂと右方フレーム９１ｃとの背部側面に対向させた（開放部側を、案内装置９０において吸取具１Ａが取付けられる側とは反対側へ向けた）状態で、左方フレーム９１ｂおよび右方フレーム９１ｃの上方部から下方部に亘って設けられる。
つまり、ガイド部材９３・９３は、上下に立設される柱状部材の上端部および下端部に、左方フレーム９１ｂおよび右方フレーム９１ｃ側へ突出する突出部を形成して構成されており、ガイド部材９３・９３が左方フレーム９１ｂおよび右方フレーム９１ｃに設けられた状態では、ガイド部材９３・９３の上端部および下端部の先端部が、それぞれ左方フレーム９１ｂおよび右方フレーム９１ｃに接続された状態となっている。
このようにして、吸取具１Ａの案内装置９０においてガイド部材９３・９３が設けられることにより、コ字状のガイド部材９３・９３と直線状の左方フレーム９１ｂおよび右方フレーム９１ｃとで囲まれた空間が形成され、このガイド部材９３・９３の上端部から下端部までの範囲に形成される空間が、それぞれ案内部９４・９４として構成される。吸取具１Ａの案内装置９０における案内部９４・９４は、移動部材９５が上下方向に移動可能な空間である。
吸取具１Ａの案内装置９０における上方フレーム９１ａには、滑車９２が設けられる。
【００３３】
吸取具１Ａの案内装置９０における移動部材９５は、前記案内部９４・９４の範囲内において上下方向に移動可能な部材である。
吸取具１Ａの案内装置９０における移動部材９５は、平板状の部材であり、その左方フレーム９１ｂと右方フレーム９１ｃとの間に亘るようにして配置される。
吸取具１Ａの案内装置９０における移動部材９５は、上下方向に移動可能なようにその両端部が案内部９４・９４にそれぞれ嵌挿されて、フレーム９１の背部に配置される。
【００３４】
吸取具１Ａの案内装置９０における移動部材９５の左右中央部には、吸取部材１０を前方に配置するようにして（支持部材２０の接続部２２が後方を向くようにして）吸取具１Ａが固定される。
吸取具１Ａの案内装置９０における移動部材９５への吸取具１Ａの固定は、例えば、案内装置９０における移動部材９５の左右中央部に、支持部材２０の接続部２２を嵌挿可能な孔を形成するとともに、支持部材２０における接続部２２の外周面にネジを形成する。そして、前記移動部材９５における嵌挿可能な孔に吸取具１Ａの支持部材２０における接続部２２を嵌挿して、支持部材２０の接続部２２にボルトを螺合させることによって、吸取具１Ａの案内装置９０における移動部材９５に吸取具１Ａを固定する。
吸取具１Ａの案内装置９０における移動部材９５には、吸取具１Ａを下方に移動させるための重り９６が設けられる。吸取具１Ａの案内装置９０における重り９６は、その自重により、吸取具１Ａを下方に移動させる。
【００３５】
吸取具１Ａの案内装置９０における操作部材９７は、前記吸引具１Ａの支持部材の上方への移動または下方への移動を操作するためのものである。
吸取具１Ａの案内装置９０における操作部材９７は、ワイヤで構成される。
吸取具１Ａの案内装置９０における操作部材９７の中途部が上方フレーム９１ａに設けられる滑車９２の溝にかけられて、その一端部が移動部材９５に接続される。
【００３６】
このように構成された案内装置９０を吸取具１Ａが具備することにより、案内装置９０の操作部材９７の他端部を下方に引張って、その移動部材９５に固定された吸取具１Ａ（支持部材）を上方に移動させることができる。
また、前記案内装置９０の操作部材９７の他端部の引張りを開放した際には、前記上方に移動した吸取具１Ａは、その移動部材９５に設けられた重り９６により、下方に移動することとなる。
このようにして、案内装置９０を具備する吸取具１Ａでは、作業者が吸取具１Ａを直接把持して操作することなく、案内装置９０の操作部材９７を操作することにより、その吸取具１Ａを上下方向への移動させることができる。
よって、案内装置９０を具備する吸取具１Ａによれば、人手をかりずに、作業者の背部に付着した花粉や塵芥を吸取ることができる。
【００３７】
なお、吸取具１Ａの案内装置９０における重り９６の重さは、作業者が操作部材９７を操作してこれの重さに抗じて操作部材９７を引張って持上げることができるような重さであり、且つ、操作部材９７を引張らない場合には、吸取具１Ａを下方に移動させることができるような重さ、であればよい。
また、吸取具１Ａの案内装置９０は、吸取具１Ａを上下方向に移動させる原動機を備える構成としてもよく、また、吸取具１Ａの上下方向の移動をリモートコントロールで操作可能な構成としてもよい。
【００３８】
次に、本発明の第二実施形態に係る吸取具１Ｂを、図８から図９を用いて説明する。
なお、第二実施形態に係る吸取具１Ｂは、第一実施形態に係る吸取具１Ａと同様の構成を有する部分があるため、吸取具１Ｂの説明は、吸取具１Ａと同様の構成の部分については適宜省略し、吸取具１Ａの構成と異なる部分を中心に説明する。
【００３９】
吸取具１Ｂは、図８または図９に示すように、吸取部材１０と、支持部材３０とを具備する。
吸取具１Ｂの支持部材３０は、アーム３１と、軸受３２と、回動部材３３と、パイプ３６とを有する。
【００４０】
吸取具１Ｂの支持部材３０におけるアーム３１は、筒状に形成されるとともに、平面視略Ｃ字状（弧状）に形成される。
吸取具１Ｂの支持部材３０におけるアーム３１は、その両端部が図８に示す下方を向くとともに、吸取部材１０の両端の外側に位置するようにして、形成される。吸取具１Ｂの支持部材３０におけるアーム３１の両端部には回動部材３３・３３が取付けられる。
吸取具１Ｂの支持部材３０におけるアーム３１には、接続部２２が形成される。吸取具１Ｂの支持部材３０におけるアーム３１の接続部２２は、アーム３１の左右中央部に、図８に示す上方（弧の外側）に向かって突出するようにして形成される。
【００４１】
吸取具１Ｂの支持部材３０における軸受３２は、円筒状の部材であり、左右一対で構成される。
吸取具１Ｂの支持部材３０における軸受３２・３２は、吸取部材１０の両端の開口部からそれぞれ挿入されて、吸取部材１０の両端部にそれぞれ配置される。
吸取具１Ｂの支持部材３０における軸受３２・３２には、回動部材３３・３３の一部がそれぞれ挿入される。
【００４２】
吸取具１Ｂの支持部材３０における回動部材３３は、左右一対で構成される。
吸取具１Ｂの支持部材３０における回動部材３３は、吸取部材１０を支持する支持部であり、軸受３２に挿入される軸部３４と、アーム３１に取付けられる取付部３５と、を有する。
吸取具１Ｂの支持部材３０における回動部材３３は、平面視略Ｌ字状に形成される。
吸取具１Ｂの支持部材３０における回動部材３３では、平面視略Ｌ字状に形成されて二方向に延出する部分のうち一方が軸部３４として構成され、その他方が取付部３５として構成される。
【００４３】
吸取具１Ｂの支持部材３０における回動部材３３・３３は、その取付部３５・３５がアーム３１の両端部にそれぞれ回動可能に取付けられる。吸取具１Ｂの支持部材３０における回動部材３３・３３は、平面視で水平方向に回動可能に、アーム３１の両端部にそれぞれ取付けられる。吸取具１Ｂの支持部材３０における回動部材３３・３３は、アーム３１の両端を結ぶ仮想の線Ｌ１に対して水平方向に回動可能、且つ、当該両端を結ぶ仮想の線Ｌ１とアーム３１の左右中途部とを結ぶ仮想の線Ｌ２に対して水平方向に回動可能に、それぞれ取付けられる（図９（ａ）参照）。
【００４４】
吸取具１Ｂの支持部材３０における回動部材３３の取付部３５は、平板状の片体が上下にそれぞれ配置されて構成される。
当該上下の平板状の片対の間にアーム３１の端部が配置されるとともに、当該上下の平板上の片体のそれぞれとアーム３１の端部とに取付用のピンが嵌挿されて、吸取具１Ｂの支持部材３０における回動部材３３は回動可能に構成される。
【００４５】
吸取具１Ｂの支持部材３０における回動部材３３の軸部３４は、軸受３２に挿入可能な円筒状に形成されて、軸受３２に摺動可能に挿入される。
このようにして、吸取具１Ｂの吸取部材１０は、その支持部材３０によって、周方向に回転可能に支持されるとともに、支持部材３０における軸受３２の挿抜方向に移動可能に支持される。
【００４６】
吸取具１Ｂの支持部材３０のパイプ３６は、筒状のゴム素材からなる部材である。吸取具１Ｂの支持部材３０のパイプ３６内の空間は、吸取具１Ｂの連通路２３（支持部材３０が吸引装置３のホース３ａに接続された際に、支持している吸取部材１０における筒状の内部１１と、吸引装置３のホース３ａと、を連通させる通路）として構成される。
吸取具１Ｂの支持部材３０のパイプ３６は、略Ｙ字状（３つ又状）に形成される。
吸取具１Ｂの支持部材３０のパイプ３６は、そのアーム３１の内部とその回動部材３３・３３の内部とで形成される空間に配置される。
吸取具１Ｂの支持部材３０のパイプ３６は、そのアーム３１の接続部２２における開口部から、その回動部材３３・３３を経由して、吸取部材１０の筒状の内部１１に至るように配置される。
吸取具１Ｂは、そのアーム３１の接続部２２における開口部とその支持部材３０のパイプ３６との間が気密性を有するように、構成される。
【００４７】
このように構成された吸取具１Ｂでは、突出する方向に湾曲する清掃対象面２から花粉や塵芥を吸取る際に、図９に示すように、その吸取部材１０を当該清掃対象面２に押付ける。この際、吸取具１Ｂでは、その吸取部材１０が、突出する方向に湾曲する清掃対象面２の形状に合わせて変形し、突出する方向に湾曲する清掃対象面２の形状に応じた湾曲形状となる。
また、吸取具１Ｂでは、その吸取部材１０を前記清掃対象面２に押付けて湾曲させた状態で、吸取部材１０の軸方向と直交する方向へ吸取具１Ｂを移動させて、吸取部材１０を周方向に回転させることができる。
したがって、吸取具１Ｂによれば、花粉や塵芥を撒散らすことなく吸取ることができるとともに、突出する方向に湾曲する清掃対象面２から花粉や塵芥を容易に吸取ることができる。
【００４８】
また、吸取具１Ｂでは、清掃対象面２の形状に合わせて吸取部材１０が湾曲する際に、その支持部材３０が、当該吸取部材１０の湾曲に追従して変形する（その支持部材３０における回動部材３３・３３が回動する）ように、構成される。
つまり、吸取具１Ｂでは、前記湾曲する吸取部材１０における開口部の向きに合わせるようにして、支持部材３０において吸取部材１０の内部１１に挿入される部分（回動部材３３・３３における軸部３４・３４）が、その向きを変える。
したがって、吸取具１Ｂによれば、支持部材３０において吸取部材１０の内部１１に挿入される部分が前記吸取部材１０の湾曲の妨げとなることを抑制して、よりスムーズに前記吸取部材１０が湾曲することとなる。
また、吸取具１Ｂによれば、支持部材３０において吸取部材１０の内部１１に挿入される部分が前記湾曲した状態の吸取部材１０における周方向への回転の妨げとなることを抑制して、よりスムーズに当該吸取部材１０が周方向へ回転することとなる。
よって、吸取具１Ｂによれば、より容易に、花粉や塵芥を撒散らすことなく吸取ることができるとともに、突出する方向に湾曲する清掃対象面から花粉や塵芥を吸取ることができる。
【００４９】
次に、本発明の第三実施形態に係る吸取具１Ｃを、図１０から図１４を用いて説明する。
なお、第三実施形態に係る吸取具１Ｃは、第一実施形態に係る吸取具１Ａまたは第二実施形態に係る吸取具１Ｂと同様の構成を有する部分があるため、吸取具１Ｃの説明は、吸取具１Ａまたは吸取具１Ｂと同様の構成の部分については適宜省略し、吸取具１Ａまたは吸取具１Ｂの構成と異なる部分を中心に説明する。
【００５０】
吸取具１Ｃは、図１０または図１１に示すように、吸取部材１０と、支持部材４０とを具備する。
吸取具１Ｃの支持部材４０は、アーム４１と、接続部材４５と、パイプ３６とを有する。
【００５１】
吸取具１Ｃの支持部材４０のパイプ３６内の空間は、吸取具１Ｃの連通路２３（支持部材４０が吸引装置３のホース３ａに接続された際に、支持している吸取部材１０における筒状の内部１１と、吸引装置３のホース３ａと、を連通させる通路）として構成される。
吸取具１Ｃの支持部材４０のパイプ３６は、筒状のゴム素材からなる部材である。吸取具１Ｃの支持部材４０のパイプ３６は、略Ｙ字状（３つ又状）に形成される。
【００５２】
吸取具１Ｃの支持部材４０における接続部材４５は、接続部２２として構成される。
吸取具１Ｃの支持部材４０における接続部材４５は、円筒状に形成されるとともに、吸引装置３のホース３ａの一端に嵌挿可能に構成される。
吸取具１Ｃの支持部材４０における接続部材４５には、そのパイプ３６における三方向に延出する部分の端部のうち、図１０に示す上方に延出する部分の端部が挿入されて固定される。
【００５３】
吸取具１Ｃの支持部材４０におけるアーム４１は、吸取部材１０を支持する支持部であり、固定部４２と、変形部４３と、支持部４４と、で構成される。吸取具１Ｃの支持部材４０におけるアーム４１の、固定部４２と、変形部４３と、支持部４４と、は、それぞれ左右一対で構成される。
吸取具１Ｃの支持部材４０におけるアーム４１の、固定部４２、変形部４３、および、支持部４４は、支持部材４０の接続部から吸取部材１０に向かって（図１０に示す上方から下方に向かって）、固定部４２、変形部４３、支持部４４、の順番に配置される。
【００５４】
吸取具１Ｃの支持部材４０におけるアーム４１の固定部４２は、円筒状の部材である。
吸取具１Ｃの支持部材４０におけるアーム４１の固定部４２・４２には、パイプ３６における三方向に延出する部分のうち、図１０に示すに左右それぞれに延出する部分（接続部材４５が固定されていない部分）がそれぞれ挿入される。吸取具１Ｃの支持部材４０におけるアーム４１の固定部４２・４２は、前記パイプ３６における左右それぞれに延出する部分の中途部に、それぞれ固定される。
【００５５】
吸取具１Ｃの支持部材４０におけるアーム４１の変形部４３は、清掃対象面２の形状に合わせて吸取部材１０が湾曲する際に、当該吸取部材１０の湾曲に追従して変形する（撓む）ような弾性を有する部材で構成される。吸取具１Ｃの支持部材４０におけるアーム４１の変形部４３は、コイルバネで構成される。
吸取具１Ｃの支持部材４０におけるアーム４１の変形部４３・４３には、前記パイプ３６における左右それぞれに延出する部分がそれぞれ挿入される。
吸取具１Ｃの支持部材４０におけるアーム４１では、その変形部４３・４３の一方（図１０に示す上方）の端部が、その固定部４２・４２における吸取部材１０側（図１０に示す下方）の端部に固定される。
【００５６】
吸取具１Ｃの支持部材４０におけるアーム４１の支持部４４は、円筒状の部材であり、左右一対で構成される。吸取具１Ｃの支持部材４０におけるアーム４１の支持部４４は、平面視略Ｌ字状に形成される。
吸取具１Ｃの支持部材４０におけるアーム４１の支持部材４０には、前記パイプ３６における左右それぞれに延出する部分がそれぞれ挿入される。
吸取具１Ｃの支持部材４０におけるアーム４１の支持部４４は、その一方の端部が、吸取部材１０における筒状を形成する開口部に挿入可能なように、形成される。
吸取具１Ｃの支持部材４０におけるアーム４１の支持部４４・４４の一方の端部同士は、吸取部材１０における筒状を形成する開口部に挿入された際に、互いに向き合うように配置される。
吸取具１Ｃの支持部材４０におけるアーム４１・４１では、その支持部４４・４４の他方（図１０に示す上方）の端部が、その変形部４３・４３における他方（図１０に示す下方）の端部に固定される。
このように構成された吸取具１Ｃの支持部材４０のアーム４１には、そのパイプ３６が、吸取部材１０の筒状の内部１１に至るように配置される。
【００５７】
以上のように構成された吸取具１Ｃでは、清掃対象面２の形状に合わせて吸取部材１０が湾曲する際に、その支持部材４０が、当該吸取部材１０の湾曲に追従して変形する（そのアーム４１の変形部４３・４３が変形する）ように、構成される。
つまり、吸取具１Ｃでは、前記湾曲する吸取部材１０における開口部の向きに合わせるようにして、支持部材４０における吸取部材１０の内部１１に挿入される部分（そのアーム４１の支持部の吸取部材１０側の開口部）が、その向きを変える。
したがって、吸取具１Ｃによれば、支持部材４０において吸取部材１０の内部１１に挿入される部分が前記吸取部材１０の湾曲の妨げとなることを抑制して、よりスムーズに前記吸取部材１０が湾曲することとなる。
また、吸取具１Ｃによれば、支持部材４０において吸取部材１０の内部１１に挿入される部分が前記湾曲した状態の吸取部材１０における周方向への回転の妨げとなることを抑制して、よりスムーズに当該吸取部材１０が周方向へ回転することとなる。
よって、吸取具１Ｃによれば、より容易に、花粉や塵芥を撒散らすことなく吸取ることができるとともに、突出する方向に湾曲する清掃対象面から花粉や塵芥を吸取ることができる。
【００５８】
また、吸取具１Ｃは、図１２乃至図１４に示すように、案内装置９０を具備する。
吸取具１Ｃの案内装置９０は、フレーム９８と、移動部材９９と、操作部材９７と、を備える。
【００５９】
吸取具１Ｃの案内装置９０におけるフレーム９８は、上下方向に立設される柱状部材である左方フレーム９８ｂおよび右方フレーム９８ｃを所定の間隔を隔てて配置するとともに、水平方向に横設される柱状部材である上方フレーム９８ａにより左方フレーム９８ｂの上端部と右方フレーム９８ｃの上端部とを接続して構成されており、略門型に形成される。
吸取具１Ｃの案内装置９０は、その左方フレーム９８ｂと右方フレーム９８ｃとの間の距離がその支持部材４０の左右方向の幅よりも小さくなるように、構成される。
吸取具１Ｃの案内装置９０における左方フレーム９８ｂと右方フレーム９８ｃとには、移動部材９９が配置される。
吸取具１Ｃの案内装置９０における上方フレーム９８ａには、図１２に示す左方に突出するようにして、滑車９２が設けられる。
【００６０】
吸取具１Ｃの案内装置９０における移動部材９９は、上下方向に貫通する一対の貫通孔９９ａ・９９ａを有する。
吸取具１Ｃの案内装置９０における移動部材９９の貫通孔９９ａ・９９ａには、吸取具１Ｃの案内装置９０における左方フレーム９８ｂと右方フレーム９８ｃとがそれぞれ摺動可能に嵌挿される。
このようにして、吸取具１Ｃの案内装置９０における移動部材９９は、その貫通孔９９ａ・９９ａに左方フレーム９８ｂと右方フレームが嵌挿された状態で、上下方向に移動可能に構成される。
また、吸取具１Ｃの案内装置９０における移動部材９９は、固定部４２・４２間を亘るようにして吸取具１Ｃの支持部材４０における支持部材４０に固定される。
吸取具１Ｃの案内装置９０における操作部材９７の中途部が上方フレーム９８ａに設けられる滑車９２の溝にかけられて、その一端部が移動部材９９に固定される。
【００６１】
このように構成された案内装置９０を吸取具１Ｃが具備することにより、案内装置９０の操作部材９７の他端部を下方に引張って、その移動部材９９に固定された吸取具１Ｃ（支持部材）を上方に移動させることができる。
また、前記案内装置９０の操作部材９７の他端部の引張りを開放した際には、前記上方に移動した吸取具１Ｃは、その移動部材９９に設けられた重り９６により、下方に移動することとなる。
このようにして、案内装置９０を具備する吸取具１Ｃでは、作業者が吸取具１Ｃを直接把持して操作することなく、案内装置９０の操作部材９７を操作することにより、その吸取具１Ｃを上下方向への移動させることができる。
よって、案内装置９０を具備する吸取具１Ｃによれば、人手をかりずに、作業者の背部に付着した花粉や塵芥を吸取ることができる。
【００６２】
吸取具１Ｃの支持部材４０におけるアーム４１の変形部４３は、清掃対象面２の形状に合わせて吸取部材１０が湾曲する際に、当該吸取部材１０の湾曲に追従して変形する（撓む）ような弾性を有すればよく、コイルバネで構成されることに限定しない。
【符号の説明】
【００６３】
１Ａ    吸取具
２      湾曲した清掃対象面
３      吸引装置
１０    吸取部材
１２    吸取孔
２０    支持部材
２２    接続部
２３    連通路
【図１】
0005568400.tif 000002
【図２】
0005568400.tif 000003
【図３】
0005568400.tif 000004
【図４】
0005568400.tif 000005
【図５】
0005568400.tif 000006
【図６】
0005568400.tif 000007
【図７】
0005568400.tif 000008
【図８】
0005568400.tif 000009
【図９】
0005568400.tif 000010
【図１０】
0005568400.tif 000011
【図１１】
0005568400.tif 000012
【図１２】
0005568400.tif 000013
【図１３】
0005568400.tif 000014
【図１４】
0005568400.tif 000015